(57)【要約】  本発明は、無線携帯インターネットシステムでオーバーヘッドを減らすためのレンジング応答メッセージ生成方法および処理方法に関する。レンジング応答メッセージに前記レンジング応答メッセージ内に含まれている端末から受信したＣＤＭＡコードに対する応答の個数を示す第１フィールドを追加し、前記レンジング応答メッセージに前記第１フィールドの値だけ前記ＣＤＭＡコードに対する応答のレンジングコードの属性を示す第２フィールドを追加し、前記第２フィールドそれぞれに対応する送信パラメータ調整値を示す複数の第３フィールドを追加する。
2011503956.tif 000002
【特許請求の範囲】
【請求項１】
基地局がレンジング応答メッセージを生成する方法であって、
前記レンジング応答メッセージに前記レンジング応答メッセージ内に含まれている端末から受信した端末固有ランダムコードに対する応答の個数を示す第１フィールドを追加する段階；
前記レンジング応答メッセージに前記第１フィールドの値だけ前記端末固有ランダムコードに対する応答であるレンジングコードの属性を示す第２フィールドを追加する段階；および
前記レンジング応答メッセージに前記第２フィールドそれぞれに対応する送信パラメータ調整値を示す複数の第３フィールドを追加する段階
を含む、レンジング応答メッセージ生成方法。
【請求項２】
前記第１フィールド値が０であれば、前記レンジング応答メッセージは前記端末のレンジング要求メッセージに対する応答である、請求項１に記載のレンジング応答メッセージ生成方法。
【請求項３】
前記第２フィールドは、前記端末から受信した端末固有ランダムコード、フレーム番号、サブチャンネル、およびシンボル番号に関する情報を含む、請求項１に記載のレンジング応答メッセージ生成方法。
【請求項４】
前記第３フィールドは、タイミング調整値フィールド、パワー調整値フィールド、および周波数オフセット調整値フィールドを含む、請求項１に記載のレンジング応答メッセージ生成方法。
【請求項５】
前記レンジング応答メッセージにヘッダとＣＲＣ（ｃｙｃｌｉｃ  ｒｅｄｕｎｄａｎｃｙ  ｃｈｅｃｋｉｎｇ）を追加する段階をさらに含む、請求項１〜３のうちのいずれか一項に記載のレンジング応答メッセージ生成方法。
【請求項６】
前記レンジング応答メッセージにレンジング応答メッセージタイプを示す第４フィールドを追加する段階をさらに含む、請求項１〜３のうちのいずれか一項に記載のレンジング応答メッセージ生成方法。
【請求項７】
移動通信システムの端末におけるレンジング応答メッセージ処理方法であって、
前記レンジング応答メッセージを基地局から受信する段階；
前記レンジング応答メッセージ内に含まれている端末固有ランダムコードに対する応答の個数が０でなければ、前記端末の状態が端末固有ランダムコードを基地局に送信して端末固有ランダムコードに対する応答を待機している第１状態であるかを判断する段階；および
前記端末の状態が前記第１状態であれば、前記レンジング応答メッセージに含まれている複数のレンジングコードの属性を示すフィールドのうちから端末固有ランダムコード値が前記端末が基地局に送信した端末固有ランダムコード値と一致するレンジングコードの属性を示す第１フィールドを探す段階
を含む、レンジング応答メッセージ処理方法。
【請求項８】
前記第１フィールドに対応する送信パラメータ調整値を示す複数の第２フィールドを参照して送信パラメータを調整する段階をさらに含む、請求項７に記載のレンジング応答メッセージ処理方法。
【請求項９】
前記第２フィールドは、タイミング調整値フィールド、パワー調整値フィールド、および周波数オフセット調整値フィールドを含む、請求項８に記載のレンジング応答メッセージ処理方法。
【請求項１０】
前記レンジング応答メッセージ内に含まれている端末固有ランダムコードに対する応答の個数が０であれば、前記端末の状態がレンジング要求メッセージを基地局に送信して前記レンジング要求メッセージに対する応答を待機している第２状態であるかを判断する段階；および
前記端末が前記第２状態であれば、前記レンジング応答メッセージを用いて初期接続手順を実行する段階
を含む、請求項７に記載のレンジング応答メッセージ処理方法。
【発明の詳細な説明】
【技術分野】
【０００１】
本発明はレンジング応答メッセージ生成方法および処理方法、特に、無線携帯インターネットシステムでオーバーヘッドを減らすためのレンジング応答メッセージ生成方法および処理方法に関する。
【背景技術】
【０００２】
無線インターネットシステムにおいて、端末はレンジングのためのＣＤＭＡコードを基地局に送信し、基地局はこれに対してレンジング応答メッセージ（Ｒａｎｇｉｎｇ  ｒｅｓｐｏｎｓｅ  ｍｅｓｓａｇｅ、以下「ＲＮＧ_ＲＳＰ」とする）を端末に送信する。
【０００３】
このようなレンジング手順において、端末から競争方式で送信したＣＤＭＡコードに対し、基地局は成功的に受信したＣＤＭＡコードに対する応答としてＲＮＧ_ＲＳＰをすべての端末に放送する。
【０００４】
図１は、従来技術に係るＣＤＭＡコードレンジング手順を示す図である。
図１に示すように、複数の端末が競争方式でＣＤＭＡコードをｎ番目のフレームのアップリンクに送信すれば、基地局はこれを受信した後、衝突せずに受信したそれぞれのＣＤＭＡコード別に電力、パワー、およびタイミング調整値を計算する。もし、複数の端末から受信したＣＤＭＡコードがｎ個であり、前記ｎ個のコードが衝突せずに基地局に受信された場合、基地局はそれぞれのＣＤＭＡコードに対する応答としてｎ個のＲＮＧ_ＲＳＰを放送する。端末は基地局から放送されるすべてのＲＮＧ_ＲＳＰを受信し、自身が送信したＣＤＭＡコード、フレーム番号、サブチャンネル、およびシンボル番号をＲＮＧ_ＲＳＰに含まれている値と比較して自身に送信されたＲＮＧ_ＲＳＰメッセージを選択する。
【０００５】
図２は、従来技術に係るレンジング応答メッセージを示す図である。
図２に示すように、従来技術に係るレンジング応答メッセージは、１つのＣＤＭＡコードに対する応答情報を含む。すなわち、基地局は、衝突せずに受信したＣＤＭＡコードそれぞれに対して個別にレンジング応答メッセージを送信する。
【０００６】
レンジング応答メッセージに含まれているレンジングコード属性（Ｒａｎｇｉｎｇ  Ｃｏｄｅ  Ａｔｔｒｉｂｕｔｅｓ）フィールドは、受信したＣＤＭＡコード、フレーム番号、サブチャンネル、およびシンボル番号を含んでいる。
【０００７】
端末はレンジング応答メッセージを受信すれば、レンジング応答メッセージのレンジングコード属性フィールドに含まれている情報と自身が送信したＣＤＭＡコード情報を比較して一致すれば、受信したレンジング応答メッセージに含まれている情報を用いて送信電力、タイミング、周波数オフセットなどのアップリンク送信パラメータを調整する。この反面、レンジングコード属性フィールドに含まれている情報と自身が送信したＣＤＭＡコード情報を比較して一致しなければ、受信したレンジング応答メッセージを無視する。
【０００８】
基地局と端末の間のデータ送信はＰＤＵ（Ｐａｃｋｅｔ  Ｄａｔａ  Ｕｎｉｔ）形態で構成される。基地局はレンジング応答メッセージに対してＰＤＵを生成するために、ヘッダとＣＲＣ（ｃｙｃｌｉｃ  ｒｅｄｕｎｄａｎｃｙ  ｃｈｅｃｋｉｎｇ）を添付する。すなわち、図２に示すように、ＣＤＭＡコードに対するレンジング応答メッセージは、前に６バイトヘッダと後に４バイトＣＲＣを添付し、１つのＰＤＵで構成されて送信される。このとき、ＣＤＭＡコードに対するレンジング応答メッセージの大きさが最大２６バイトであるため、レンジング応答メッセージを送信するためのＰＤＵオーバーヘッド比率は１０／３６と極めて大きい。これは、フレームごとに受信されるＣＤＭＡコードの数とこれによって基地局から放送されるレンジング応答メッセージの数が増加するほどダウンリンク無線資源の浪費が激しくなるという問題点を招来する。
【０００９】
背景技術に記載された事項はただ本発明の背景に関する理解を助けるためのものであり、この国で当業者に公知されている従来の技術に関連しない情報を含むことがある。
【先行技術文献】
【特許文献】
【００１０】
【特許文献１】ＵＳ  ２００６−０２０９７３４  Ａ１
【特許文献２】ＵＳ  ２００５−０２８６４５１  Ａ１
【非特許文献】
【００１１】
【非特許文献１】ＨＡＮＧ  ＺＨＡＮＧ  ｅｔ  ａｌ．，“Ｉｎｉｔｉａｌ  Ｒａｎｇｉｎｇ  Ｏｖｅｒｈｅａｄ  Ｒｅｄｕｃｔｉｏｎ”、ＩＥＥＥ  ８０２．１６  Ｂｒｏａｄｂａｎｄ  Ｗｉｒｅｌｅｓｓ  Ａｃｃｅｓｓ  Ｗｏｒｋｉｎｇ  Ｇｒｏｕｐ，ＩＥＥＥ  Ｃ８０２．  １６ｅ−０４／２２５，２００４−０６−２５，＜ｈｔｔｐ：／／ｉｅｅｅ８０２．ｏｒｇ／１６＞
【発明の概要】
【発明が解決しようとする課題】
【００１２】
本発明が達成しようとする技術的課題は、レンジング応答メッセージを送信するためのＰＤＵオーバーヘッド比率を減らしてダウンリンク資源の浪費を減らすレンジング応答メッセージ生成方法を提供することを目的とする。
【課題を解決するための手段】
【００１３】
上述した課題を達成するために、本発明の一特徴に係る移動通信システムの基地局におけるレンジング応答メッセージ生成方法は、前記レンジング応答メッセージに前記レンジング応答メッセージ内に含まれている端末から受信したＣＤＭＡコードに対する応答の個数を示す第１フィールドを追加し、前記レンジング応答メッセージに前記第１フィールドの値だけ前記ＣＤＭＡコードに対する応答のレンジングコードの属性を示す第２フィールドを追加し、前記第２フィールドそれぞれに対応する送信パラメータ調整値を示す複数の第３フィールドを追加する。
【００１４】
上述した課題を達成するために、本発明の他の特徴に係る移動通信システムの端末におけるレンジング応答メッセージ処理方法は、前記レンジング応答メッセージを基地局から受信した後、前記レンジング応答メッセージ内に含まれているＣＤＭＡコードに対する応答の個数が０でなければ、前記端末の状態がＣＤＭＡコードを基地局に送信してＣＤＭＡコードに対する応答を待機している第１状態であるかを判断し、前記端末の状態が前記第１状態であれば、前記レンジング応答メッセージに含まれている複数のレンジングコードの属性を示すフィールドのうちからＣＤＭＡコード値が前記端末が基地局に送信したＣＤＭＡコード値と一致するレンジングコードの属性を示す第１フィールドを探す。
【発明の効果】
【００１５】
本発明によれば、複数のＣＤＭＡコードに対する応答を１つのレンジング応答メッセージで送信することによってダウンリンク資源の浪費を減らすことができ、端末のレンジング応答メッセージ処理手順を簡素化することができる。
【図面の簡単な説明】
【００１６】
【図１】従来技術に係るＣＤＭＡコードレンジング手順を示す図である。
【図２】従来技術に係るレンジング応答メッセージを示す図である。
【図３】無線携帯インターネットシステムの初期レンジング手順を示す図である。
【図４】無線携帯インターネットシステムのハンドオフレンジング手順を示す図である。
【図５】無線携帯インターネットシステムの帯域幅要請レンジング手順を示す図である。
【図６】無線携帯インターネットシステムの周期的レンジング手順を示す図である。
【図７】本発明の実施形態に係るＣＤＭＡコードレンジング手順を示す図である。
【図８】本発明の実施形態に係る移動通信システムのレンジング応答メッセージ生成方法を示すフローチャートである。
【図９】本発明の実施形態に係る移動通信システムのレンジング応答メッセージの構造を示す図である。
【図１０】本発明の実施形態に係る端末のレンジング応答メッセージ処理方法を示すフローチャートである。
【発明を実施するための形態】
【００１７】
以下、添付の図面を参照しながら、本発明の実施形態について本発明が属する技術分野において通常の知識を有する者が容易に実施できるように詳しく説明する。しかしながら、本発明は様々に相違した形態で実現することができ、ここで説明する実施形態に限定されることはない。また、図面で本発明を明確に説明するために説明とは関係ない部分は省略し、明細書全体に渡って類似した部分については類似した図面符号を付与した。
【００１８】
明細書全体において、ある部分がある構成要素を「含む」とするとき、これは特に反対となる記載がない限り、他の構成要素を除くのではなく他の構成要素をさらに含むことができることを意味する。また、明細書に記載された「・・・部」、「・・・機」などの用語は、少なくとも１つの機能や動作を処理する単位を意味し、これはハードウェアやソフトウェアまたはハードウェアおよびソフトウェアの結合によって具現することができる。
【００１９】
まず、無線携帯インターネットシステムの機能別レンジング手順について説明する。
無線携帯インターネットシステムのレンジングは、端末でアップリンク送信パラメータの送信電力、タイミング、および周波数を調整するための手順であって、初期レンジング（Ｉｎｉｔｉａｌ  Ｒａｎｇｉｎｇ、ＩＲ）、ハンドオフレンジング（Ｈａｎｄｏｆｆ  Ｒａｎｇｉｎｇ、ＨＲ）、周期的レンジング（Ｐｅｒｉｏｄｉｃ  Ｒａｎｇｉｎｇ、ＰＲ）、および帯域幅要請レンジング（Ｂａｎｄｗｉｄｔｈ  Ｒｅｑｕｅｓｔ  Ｒａｎｇｉｎｇ、ＢＲ）に区分される。
【００２０】
初期レンジングは、端末が初期接続時にアップリンク送信パラメータを調整して基地局と初期接続手順を行うためのものである。図３は、無線携帯インターネットシステムの初期レンジング手順を示す図である。図３に示すように、端末は初期アップリンクの任意のサブチャンネルおよびシンボルを選択し、レンジングのための任意のＣＤＭＡコードを基地局に競争方式で送信する（３０１）。基地局はＣＤＭＡコードに対する応答として第１レンジング応答メッセージを放送すれば（３０２）、すべての端末は前記第１レンジング応答メッセージを受信して自身に送信されたメッセージであるかを判断する。判断の結果、端末は自身に送信された第１レンジング応答メッセージであれば、第１レンジング応答メッセージを参照してアップリンク送信パラメータを調整した後、初期接続のために端末のＭＡＣアドレスが含まれているレンジング要求メッセージ（Ｒａｎｇｉｎｇ  ｒｅｑｕｅｓｔ、ＲＮＧ_ＲＥＱ）を送信する（３０３）。基地局はレンジング要求メッセージを受信すれば、端末に基本連結識別子（Ｂａｓｉｃ  Ｃｏｎｎｅｃｔｉｏｎ  Ｉｄｅｎｔｉｆｉｃａｔｉｏｎ、以下「Ｂａｓｉｃ  ＣＩＤ」とする）およびプライマリ連結識別子（ｐｒｉｍａｒｙ  ＣＩＤ）を割り当てた後、前記Ｂａｓｉｃ  ＣＩＤおよびプライマリＣＩＤを含む第２レンジング応答メッセージを放送する（３０４）。
【００２１】
ハンドオフレンジングは、端末がハンドオフ時にアップリンク送信パラメータを調整して基地局とハンドオフ接続手順を行うためのものである。図４は、無線携帯インターネットシステムのハンドオフレンジング手順を示す図である。図４に示すように、端末はハンドオフレンジングのための任意のＣＤＭＡコードを基地局に競争方式で送信する（４０１）。基地局はＣＤＭＡコードに対する応答として第１レンジング応答メッセージを放送すれば（４０２）、端末は前記第１レンジング応答メッセージを受信し、自身に送信されたメッセージであれば、前記第１レンジング応答メッセージを参照してアップリンク送信パラメータを調整した後、ハンドオフ接続のために端末のＭＡＣアドレスが含まれているレンジング要求メッセージを送信する（４０３）。基地局はレンジング要求メッセージを受信すれば、端末にＢａｓｉｃ  ＣＩＤおよびプライマリＣＩＤを割り当てた後、これを含む第２レンジング応答メッセージを放送する（４０４）。
【００２２】
帯域幅要請レンジングは端末が基地局に送信するデータが発生した場合、これを送信するためのアップリンク資源を基地局から割り当てられるための手順である。図５は、無線携帯インターネットシステムの帯域幅要請レンジング手順を示す図である。図５に示すように、端末はアップリンクデータが発生すれば、アップリンクサブチャンネルおよびシンボルを選択して任意のＣＤＭＡコードを送信する（５０１）。基地局は帯域幅を要請するＣＤＭＡコードを受信すれば、アップリンク資源を割り当て、割り当て情報をＵＬ_ＭＡＰのＣＤＭＡ  ａｌｌｏｃａｔｉｏｎ  ＩＥに含めて放送する（５０２）。そして、選択的に端末のアップリンク送信パラメータを調整するためにレンジング応答メッセージを放送する（５０３）。
【００２３】
周期的レンジングは、端末が周期的にアップリンク送信パラメータの送信電力、タイミング、および周波数オフセットを調整するために実行される手順である。図６は、無線携帯インターネットシステムの周期的レンジング手順を示す図である。図６に示すように、端末は特定の周期間隔で周期的レンジングのためのＣＤＭＡコードを基地局に送信する（６０１）。基地局は送信パラメータの調整値をレンジング応答メッセージに含めて端末に送信する（６０２）。
【００２４】
次に、本発明の実施形態に係る移動通信システムのレンジング応答メッセージ生成方法を図７〜９を参照しながら説明する。
携帯インターネットシステムにおいて、レンジング応答メッセージは２種類に区分される。第１はＣＤＭＡコードに対するレンジング応答メッセージであり、第２はレンジング要求に対するレンジング応答メッセージである。本発明の実施形態では、レンジング要求に対するレンジング応答メッセージには影響を与えずにＣＤＭＡコードに対するレンジング応答メッセージを効率的に生成する方法を提案する。
【００２５】
図７は、本発明の実施形態に係るＣＤＭＡコードレンジング手順を示す図である。
図７に示すように、複数の端末それぞれがｎ番目のフレームからレンジングのためのＣＤＭＡコードを送信した場合、基地局は衝突せずに受信した複数のＣＤＭＡコードそれぞれに対するレンジングコード属性値と送信パラメータ調整値を１つのレンジング反応メッセージで構成して送信する。
【００２６】
図８は、本発明の実施形態に係る移動通信システムのレンジング応答メッセージ生成方法を示すフローチャートであり、図９は、本発明の実施形態に係る移動通信システムのレンジング応答メッセージの構造を示す図である。
【００２７】
基地局は、先ず、レンジング応答メッセージに１バイトのレンジング応答メッセージタイプフィールド（Ｒａｎｇｉｎｇ  ｒｅｓｐｏｎｓｅ  ｍｅｓｓａｇｅ  ｔｙｐｅ、以下「ＲＮＧ_ＲＳＰ  ｍｅｓｓａｇｅ  ｔｙｐｅ」とする）を追加する（Ｓ８１０）。ＲＮＧ_ＲＳＰ  ｍｅｓｓａｇｅ  ｔｙｐｅフィールドは、基地局と端末の間に送信される様々な種類のメッセージのうちで当該メッセージがどのメッセージであるかを示すフィールドである。
【００２８】
基地局は、レンジング応答メッセージにコード応答個数（Ｔｈｅ  ｎｕｍｂｅｒ  ｏｆ  Ｃｏｄｅ  Ｒｅｓｐｏｎｓｅ）フィールドを追加する（Ｓ８２０）。
【００２９】
図２を参照すれば、従来技術に係るレンジング応答メッセージは、レンジング応答メッセージタイプフィールド後に１バイトの未使用フィールド（Ｒｅｓｅｒｖｅｄ）が存在する。図９に示すように、本発明の実施形態に係るレンジング応答メッセージは、前記未使用フィールドをコード応答個数フィールドとして用いる。コード応答個数フィールドは、レンジング応答メッセージ内のＣＤＭＡコードに対する応答の個数を示す。コード応答個数フィールドが０であれば、レンジング応答メッセージがレンジング要求に対する応答であることを示す。そして、コード応答個数フィールドが０よりも大きければ、レンジング応答メッセージがＣＤＭＡコードレンジングに対する応答であることを示し、コード応答個数フィールド値はレンジング応答メッセージ内に含まれているＣＤＭＡコードに対する応答の個数を示す。
【００３０】
図９に示すように、コード応答個数フィールドの値がＮである場合、レンジング応答メッセージはレンジングコード属性フィールドおよび送信パラメータ調整値に対するフィールドをそれぞれＮ個ずつ含む。
【００３１】
基地局は、レンジング応答メッセージにＮ個のレンジングコード属性フィールドを追加する（Ｓ８３０）。このとき、Ｎはコード応答個数フィールドの値であって、基地局が衝突せずに受信したＣＤＭＡコードの数であることができる。レンジングコード属性フィールドはそれぞれ受信したＣＤＭＡコード、フレーム番号、サブチャンネル、およびシンボル番号を含む。
【００３２】
基地局は、レンジング応答メッセージに送信パラメータ調整値に対するフィールドをそれぞれＮ個ずつ追加する（Ｓ８４０）。
【００３３】
送信パラメータ調整値に対するフィールドには、タイミング調整値（Ｔｉｍｉｎｇ  ａｄｊｕｓｔｍｅｎｔ）フィールド、パワー調整値（Ｐｏｗｅｒ  ａｄｊｕｓｔｍｅｎｔ）フィールド、および周波数オフセット調整値（Ｆｒｅｑｕｅｎｃｙ  ｏｆｆｓｅｔ  ａｄｊｕｓｔｍｅｎｔ）フィールドがある。
【００３４】
基地局はレンジング応答メッセージにレンジング状態（Ｒａｎｇｉｎｇ  ｓｔａｔｕｓ）フィールドを追加する（Ｓ８５０）。送信パラメータ調整値が大きくて基地局で指定した範囲内に入らなければレンジング状態をコンティニュにし、レンジング状態がコンティニュであるレンジング応答メッセージを受信した端末は追加的なＣＤＭＡコードを基地局に送信し、より精密に送信パラメータ調整値を調整するようになる。そして、送信パラメータ調整値が基地局で指定した範囲内に入ってくればレンジング状態をサクセスで送信し、これを受信した端末は追加的なＣＤＭＡコードを送信しない。
【００３５】
基地局はレンジング応答メッセージにヘッダとＣＲＣ（ｃｙｃｌｉｃ  ｒｅｄｕｎｄａｎｃｙ  ｃｈｅｃｋｉｎｇ）を追加する（Ｓ８５０）。すなわち、図９に示すように、ＣＤＭＡコードに対するレンジング応答メッセージは、前に６バイトヘッダと後に４バイトＣＲＣを添付して１つのＰＤＵで構成されて送信される。
【００３６】
従来技術は、ＣＤＭＡコードそれぞれに対してレンジング応答メッセージを構成するため、オーバーヘッド比率１０/３６である。しかしながら、本発明の実施形態に係るレンジング応答メッセージ生成方法は、オーバーヘッド比率を大きく減らすことができる。基地局が端末から衝突せずにＮ個のＣＤＭＡコードを受信して１つのレンジング応答メッセージを構成して送信すれば、ＰＤＵオーバーヘッド比率は１０／（６＋２＋（Ｎ×２４）＋４）となる。さらに、従来技術ではＮ×３６のダウンリンク資源が必要であるが、本発明では１２＋（Ｎ×２４）のダウンリンク資源が必要であるため、システム資源を大きく節約することができる。すなわち、Ｎが増加するほどＰＤＵオーバーヘッド比率が減少する。
【００３７】
以下、本発明の実施形態に係る端末のレンジング応答メッセージ処理方法について図１０を参照しながら説明する。図１０は、本発明の実施形態に係る端末のレンジング応答メッセージ処理方法を示すフローチャートである。
【００３８】
端末は基地局からレンジング応答メッセージを受信すれば（１０１）、コード応答個数フィールドを検査する（１０２）。コード応答個数フィールド値が０であれば、受信したレンジング応答メッセージはレンジング要求メッセージに対するレンジング応答であるため、端末がレンジング要求メッセージを送信してレンジング要求メッセージに対する応答を待機する状態であるかを判断する（１１０）。端末がレンジング要求に対する応答を待機する状態であれば、受信したレンジング応答メッセージに含まれているパラメータを処理して初期接続またはハンドオフ手順などを行う（１１１）。この反面、端末がレンジング要求に対する応答を待機する状態でなければ、受信したレンジング応答メッセージを無視する（１１２）。
【００３９】
コード応答個数フィールド値が０でなければ、受信したレンジング応答メッセージはＣＤＭＡコードに対する応答であるため、端末がＣＤＭＡコードを送信してＣＤＭＡコードに対するレンジング応答を待機する状態であるかを判断する（１０３）。端末がＣＤＭＡコードに対するレンジング応答を待機する状態でなければ、受信したレンジング応答メッセージを無視する（１０４）。
【００４０】
この反面、ＣＤＭＡコードに対するレンジング応答を待機する状態であれば、１つのレンジングコード属性フィールドのＣＤＭＡコード値と自身が送信したＣＤＭＡコード値を比較する（１０５）。前記１つのレンジングコード属性フィールドのＣＤＭＡコード値と自身が送信したＣＤＭＡコード値が一致すれば、前記１つのレンジングコード属性フィールドに対応する送信パラメータ調整値フィールドを参照して送信パラメタを調整する（１０６）。
【００４１】
前記１つのレンジングコード属性フィールドのＣＤＭＡコード値と自身が送信したＣＤＭＡコード値が一致しなければ、他のレンジングコード属性フィールドのＣＤＭＡコード値と自身が送信したＣＤＭＡコード値を比較する（１０８、１０９）。このような方式で自身が送信したＣＤＭＡコード値と一致する値が見つかるまで、すべてのレンジングコード属性フィールドのＣＤＭＡコード値を比較する。
【産業上の利用可能性】
【００４２】
本発明の実施形態に係る端末のレンジング応答メッセージ処理方法によれば、端末の状態を区分して迅速にレンジング応答メッセージを処理することができ、１つのレンジング応答メッセージに複数のＣＤＭＡコードに対する応答が含まれているため、複数のレンジング応答メッセージを受信して処理することに比べて処理複雑度を減らすことができる。
【００４３】
以上で説明した本発明の実施形態は、装置および方法によってのみ実現されるものではなく、本発明の実施形態の構成に対応する機能を実現するプログラムまたはそのプログラムが記録された記録媒体によって実現されることもできるが、このような実現は上述した実施形態の記載から本発明が属する技術分野の専門家であれば容易に実現できるものである。
【００４４】
以上、本発明の好ましい実施形態について詳細に説明したが、本発明の権利範囲はこれに限定されるものではなく、添付の特許請求の範囲で定義している本発明の基本概念を用いた当業者の様々な変形および改良形態も本発明の権利範囲に属するはずである。
【図１】
2011503956.tif 000003
【図２】
2011503956.tif 000004
【図３】
2011503956.tif 000005
【図４】
2011503956.tif 000006
【図５】
2011503956.tif 000007
【図６】
2011503956.tif 000008
【図７】
2011503956.tif 000009
【図８】
2011503956.tif 000010
【図９】
2011503956.tif 000011
【図１０】
2011503956.tif 000012
【国際調査報告】
2011503956.tif 000013
2011503956.tif 000014